(57)【特許請求の範囲】
【請求項１】
ディスク上に同心円状あるいは螺旋状のトラックを持ち、前記トラック上に符号長がＴｍｉｎ以上でＴｍａｘ以下のランレングス制限則に従って長さを変化させたマークおよびスペースを形成することにより、信号が記録される光ディスクであって、
Ｔｍｉｎ以上でＴｍａｘ以下の予定された長さのマークおよびスペースの中から、１種類の長さのマークおよびスペースを選択し、このマークとスペースを予め決められた回数繰り返した第１のデータパターンを第１の符号とし、Ｔｍｉｎ以上でＴｍａｘ以下の予定された長さであって第１の符号と異なる長さのマークおよびスペースを予め決められた回数繰り返した第２のデータパターンを第２の符号とし、第１の符号と第２の符号を組み合わせて形成される識別信号を、１トラックにわたり構成し、ディスク上のデータ記録領域の内側の領域に、トラックに沿って記録し、予め定めた半径範囲内の隣接するトラックで半径方向に整列させて記録した識別信号列を有することを特徴とする光ディスク。
【請求項２】
請求項１記載の光ディスクを再生する再生装置であって、直流成分を遮断し高周波増幅を行うＲＦ再生部を持ち、識別信号はＲＦ再生部を通して検出されることを特徴とする光ディスク再生装置。
【発明の詳細な説明】
【０００１】
【発明の属する技術分野】
本発明は、ディスクの種類などを表す識別信号を持つ光ディスクおよびその再生装置に関するものである。
【０００２】
【従来の技術】
近年、ＣＤ／ＣＤ−ＲＯＭなどの再生専用型をはじめ、データを記録する追記型、書換え型など多くの種類の光ディスクが広く用いられている。これらのなかには、例えば、ディスクの外形などが全く同じであるが、再生専用型と追記型、書換え型の種類があるものがある。
【０００３】
また、ディスクのフォーマットの種類や、記録あるいは再生時に設定する各種パラメータが異なるものもある。そのため、ディスクの種類や各種パラメータを設定するための情報を識別信号として、ディスク上の予め決められた領域に記録しておく。これらの識別信号は、その光ディスクを再生／記録するためのドライブの各種設定を行う前に読みとる必要がある。そのため、フォーカス制御を行うだけで再生可能な信号が望ましい。
【０００４】
比較的簡単な例では、光ディスク上にトラックとして同心円状あるいは螺旋状に溝を持つ場合、光ディスク上の予め決めた領域でトラックに沿って溝を一定の距離で断続させ、これを隣接するトラックで整列させる方式がある。この方式により識別信号を記録した領域の模式図を図２に示す。図２（ａ）において、１４は光ディスク、１５は中心穴、１６はデータを記録する領域を示す。この従来例では、データ記録領域１６の内側に識別信号１７を形成している。識別信号１７を記録した部分を拡大し、図２（ｂ）に示す。破線で示したトラックに沿って溝１９と溝のない部分１８を形成する。この溝を隣接するトラックで整列させる。
【０００５】
光ヘッドなどでこれらの領域に光を照射した場合、溝を形成しない領域は鏡面となり、ディスクからの反射光量が多い。溝を形成した領域は、回折により、ディスクからの反射光量が、鏡面の場合より低減する。光ヘッドなどでその反射光の強度を比較することにより、識別信号の有無を検出することができる。
【０００６】
次に、各種の制御情報を記録するため、制御用データをコード化して識別信号として記録する方式の従来例について説明する。例えば、「130mm書換型光ディスク」では、「ＪＩＳＸ６２７１」で制御情報トラック内にＰＥＰ領域を設けるように規定している。
【０００７】
ＰＥＰ領域ではプリレコードマークを使用する。領域内のすべてのマークは、半径方向に整列して配列する。これを図３（ａ）に模式的に示す。マークおよびその間隙（スペース）は２チャンネルビット長である。ＰＥＰビットセルの長さは６５６＋−１チャンネルビットである。ＰＥＰビットセルの情報は、図４に示すように、マーク群がビットセルの前半にあるか、後半にあるかで論理の０、１を表す。
【０００８】
このようにして、トラック１周あたり５６１−  ５６７ＰＥＰビットセルを記録する。ＰＥＰ領域のトラックフォーマットは、図５（ａ）に示すように３つのセクタからなる。各セクタフォーマットを図５（ｂ）に示す。図に示した数字は各信号に配分するＰＥＰビットの数である。各種制御信号を記録するデータ部は１８Ｂ（144PEPビット）分の容量がある（各種制御信号の内容は、前記のＪＩＳ規格を参照）。
【０００９】
光ヘッドなどでこのＰＥＰ領域に光を照射した場合、マークを形成しない領域は、鏡面となり、ディスクからの反射光量が多い。マークを形成した領域は、マークの有無により反射光量が変化するが、その平均レベルは鏡面の場合より低減する。反射光量の変化を図３の（ｂ）に示す。光ヘッドなどでその反射光の強度を比較することにより、ＰＥＰビットセルの情報を検出することができる。
【００１０】
例えば、この光ディスクを１８００ｒｐｍで回転させ、光ヘッドでこのＰＥＰ領域に光を照射し、その反射光から再生信号を得る場合、マークの繰返し周波数は、約２．８ＭＨｚとなる。一方、ＰＥＰビットセルは、約１７ｋビット／秒となる。このように、ＰＥＰビットセルの周期に比べて、マークの繰返し周波数が高いため、再生信号帯域を制限することにより、マーク信号成分を除去することができる。
【００１１】
例えば、サーボ信号を抽出するための再生部は、直流から数百KHz程度までの帯域で再生できるように構成されている。ＰＥＰ領域をサーボ信号の増幅器で再生した場合の波形を図３の（ｃ）に示す。マーク群の部分は高周波となるため、増幅帯域外となり、再生信号レベルが低くなる。鏡面部では再生信号レベルが大きくなる。この再生信号のレベルを比較することにより、ＰＥＰビットの情報を検出することができる。
【００１２】
【発明が解決しようとする課題】
以上の従来例のように、識別信号を記録するため、トラックに沿って溝やマーク列を一定の距離で連続させ、これを隣接するトラックで整列させた領域と、溝やマークの無い平面（鏡面）の領域とを交互に形成する必要がある。しかし、このようなディスクを成型する場合、溝やマーク列が連続した領域と鏡面が連続する領域で、樹脂の流れ方が変化し、ディスクを安定に成型することが困難となるという欠点がある。
【００１３】
また、「130mm書換型光ディスク」では、ＰＥＰ領域で基本的な制御情報を取得した後、さらに詳細な制御情報などを記録した制御情報トラック（前記規格ではＳＦＰ領域）の再生を行う。この領域では、そのディスクに合わせたトラッキング制御を行い、データフォーマットに従い記録されている情報を再生する必要がある。
【００１４】
しかし、ＰＥＰ領域では、約３００チャンネルビットの期間はマークの無い部分、つまり鏡面領域が連続するため、取得した制御情報によりトラッキング制御が可能となった後も安定なトラッキング制御をかけることが困難である。そのため、ＳＦＰ領域に入ってからトラッキング制御をかけることになり、制御が安定するまで時間がかかるという課題がある。
【００１５】
また、前記のようにＰＥＰ領域の記録では、サーボ信号帯域での再生を可能とするため、ＰＥＰビットセルの長さを長くし、トラック１周あたり５６１−５６７ＰＥＰビットセルしか容量がとれない。
【００１６】
また、信頼性を向上させるため、１周を３つのセクタに分割し同じ情報を記録する。各セクタでプリアンブルやセクタ番号、ＣＲＣを設けるため、データとして１８Ｂ使用することができる。結局、ＰＥＰ領域全体で１８Ｂの制御情報しか記録することができない。
【００１７】
本発明はかかる点に鑑み、記録容量の向上を実現し、さらに、ディスクの成型が容易で、安定なトラッキング制御も可能とする識別信号を記録した光ディスクおよびその再生装置を提供することを目的とする。
【００１８】
【課題を解決するための手段】
本発明は、上記問題点を解決するために、ディスク上に同心円状あるいは螺旋状のトラックを持ち、前記トラック上に符号長がＴｍｉｎ以上でＴｍａｘ以下のランレングス制限則に従って長さを変化させたマークおよびスペースを形成することにより、信号が記録される光ディスクであって、Ｔｍｉｎ以上でＴｍａｘ以下の予定された長さのマークおよびスペースの中から、１種類の長さのマークおよびスペースを選択し、このマークとスペースを予め決められた回数繰り返した第１のデータパターンを第１の符号とし、Ｔｍｉｎ以上でＴｍａｘ以下の予定された長さであって第１の符号と異なる長さのマークおよびスペースを予め決められた回数繰り返した第２のデータパターンを第２の符号とし、第１の符号と第２の符号を組み合わせて形成される識別信号を、１トラックにわたり構成し、ディスク上のデータ記録領域の内側の領域に、トラックに沿って記録し、予め定めた半径範囲内の隣接するトラックで半径方向に整列させて記録した識別信号列を有することを特徴とするものである。
【００１９】
【発明の実施の形態】
以下本発明の実施例について、図面を参照しながら説明する。
【００２０】
第１の実施例として、ユーザーでデータを記録できる書換型の光ディスクについて説明する。ディスクの外形を図６に示す。図６において、１は光ディスク、２は中心穴、３はデータを記録する領域を示す。データを記録する領域には、トラックとして同心円状あるいは螺旋状の溝を形成する。データ記録領域の内側にはリードイン領域４、外側にはリードアウト領域６を設ける。本実施例では、リードイン領域４に、ディスクの各種の詳細な情報を表すコントロールデータを記録したコントロールデータ領域と基本的な情報を表す識別信号を記録した識別信号領域５を設ける。識別信号領域は、コントロールデータ領域より内周側にあるものとする。
【００２１】
書換型ディスクでは、アクセスを容易にするため、トラックを適当な大きさのセクタに区切り、セクタ毎にアドレス番号を含むＩＤ番号を記録している。これらのＩＤ信号や、前記のコントロールデータ領域での情報などの信号は、ディスク製造時に、例えば、前記信号の記録部の溝を切断し、記録する信号を表すピットを形成することにより記録する。
【００２２】
一般に、ディジタルデータを記録する場合、記録符号により変調することが行われる。これは、例えば、同じ符号が連続し、再生時にクロック検出が困難となるのを防ぐため、符号の連続する最大の長さを制限したり、もっとも短くなる符号長を制限し、再生信号の帯域を狭くすることを目的としている。本実施例では、（２．７）ランレングス制限符号（以下ＲＬＬ符号と書く）を使用する場合について説明する。（２．７）ＲＬＬ符号は、１ビットのデータを２チャンネルビットに変換する。この変換テーブルを図７に示す。図７において、記録符号語のビットをチャンネルビットと呼ぶ。１チャンネルビットの間隔をＴで表すことにする。また、記録符号語の１は記録ビットの反転を表す。図７の表より、最大のビット反転間隔Ｔmaxは、８Ｔで、最小のビット反転間隔Ｔminは、３Ｔである。合計６種類の符号長の組がある。これらの符号長に基づきディスクの記録面上にピットを形成する。本実施例では、ピットをマーク、ピットとピットの間をスペースと呼ぶ。
【００２３】
光ディスクを回転駆動する方式として、基本的には、一定の回転数で回転させるＣＡＶ駆動や記録／再生をする点での線速度が一定となるように回転数を変化させるＣＬＶ駆動の方式がある。ＣＬＶ駆動の場合、同じ符号長で変調されたマークはディスク上どこでも等しい長さとなるが、ＣＡＶ駆動の場合、同じ符号長で変調されたマークでも記録したトラックの半径位置により、ディスク上での長さは異なる。例えば、前記の130mmの書換型ディスクでは、最内周部のトラックと最外周部のトラックでは、同じ符号長のマークでも２倍以上の違いがある。そのため、前記の（２．７）ＲＬＬ符号で形成されるマーク／スペースの長さは、最内周部のＴminと最外周部のＴmaxでは、約６倍以上の違いがある。このようなＣＡＶ駆動のディスクを製造する場合、前記のマーク／スペースの長さの範囲内では、品質の差が出ないように、成型条件を設定している。
【００２４】
一方、ＣＬＶ駆動するディスクでも、ディスクの種類を判定する前に再生する識別信号領域では、ＣＡＶ駆動することが多い。この識別信号領域をデータ記録領域の内側に作成する場合、ここでのマーク長は、データ記録領域より短くなるが、その変化は小さい。例えば、「１３０mm書換型光ディスク」では、ＰＥＰ領域の最内周が半径29.0mm、ユーザー領域の最内周が半径30.0mmに設定されている。同じ符号長のマークは、２９／３０に短縮するだけである。この程度では、品質の差が出ないように、成型条件を設定することは容易である。
【００２５】
本発明における識別信号では、前記のように半径と駆動方式の違いを含んだマーク／スペースの長さの範囲と同程度の長さを持つマーク／スペースを組み合わせて使用する。そのため、同様の成型条件で、識別信号も高品質に成型することができる。
【００２６】
本実施例では、記録符号が持つ符号長の組から、最大反転問隔の符号Ｔmaxと最小反転間隔の符号Ｔminを用いて識別信号を構成する。このように構成した識別信号を記録したディスクの記録面を図１に模式的に示す。図１において、最小反転間隔の符号Ｔminで変調されたマ一ク１０とスペース１１、最大反転間隔の符号Ｔmaxで変調されたマーク１２とスペース１３がトラックに沿ったピットの列として形成されている。
【００２７】
この例では、同じ長さのマ一クとスペ‐スの繰り返しで情報を表す。Ｔminの繰り返しを０に、Ｔmaxの繰り返しを１に対応させる。この識別信号は、隣接するトラックで整列するように配列する。このように整列させて記録した識別信号を識別信号列と呼ぶとする。この識別信号列を記録した領域の半径方向の範囲を少なくとも該当するディスクの仕様で決められる偏心の最大値よりも大きくすることにより、トラッキング制御を行わなくても、識別信号を再生することができる。この識別信号列を広帯域の高周波増輻を行う再生部（ＲＦ再生系と呼ぶ）で再生した波形を図１の下部に示す。再生できる信号帯域が広いため、Ｔminの繰返し部も良好に再生することができる。
【００２８】
つぎに、この光ディスクに記録した識別信号を再生する再生装置の実施例について説明する。図８は本発明の実施例における光ディスクの再生装置の信号処理部の構成を示すブロック図である。図８において、２２は２値化回路、２３は両エッジ検出回路、２９は積分回路用コンデンサ、２８はオペアンプ、３０は比較電圧発生回路である。
【００２９】
図８において、識別信号領域に光へッドからレーザ光を照射し、その反射光を光検出器（図示省略）で受光し、電気信号に変換した再生信号を端子２０に入力する。２１は直流成分を遮断して高周披増輻を行う増輻器を示している。この再生波形ｂを図８の（ｂ）に示す。この再生波形を２値化回路２２で２値化し、両エッジ検出回路２３は、２値化した再生信号の立ち上がり部およぴ立ち下がり部を検出し、図８（ｃ）に示すように両エッジに対応する場所にパルス信号ｃを発生する。また、エッジ発生回路２４は、識別信号に使用したＴmax（８Ｔ）、Ｔmin（３Ｔ）の中問である、5.5Ｔの周期Ｔｃでパルス信号を発生させている。これをインバータ２５で反転させた波形ｄを図８（ｄ）に示す。これら２つのエッジ信号を抵抗２６およぴ２７を介しオペアンプ２８に接続する。オペアンプ２８はコンデンサ２９により積分回路として動作する。オペアンプの他方の入力には比較電圧発生回路３０を接続する。２つのエッジ信号は、その差をとり、積分されることになる。
【００３０】
つまり、エッジ発生回路２４から発生した５．５Ｔの周期よりも短い周期のエッジパルスcが入力されれば、その信号は比較電圧発生回路の電圧より大きくなる、その積分によりオペアンプ２８の出力はロウレベルとなる。また、同様にして発生した５．５Ｔの周期よりも長い周期のエッジパルスｃが入力されれば、その信号は比較電圧発生回路の電圧より小さくなる、その積分によりオペアンプ２８の出力はハイレベルとなる。オペアンプの出力がハイレベルの時1、ロウレベルの時を0に対応させれば、Ｔminの繰り返しを０に、Ｔmaxの繰り返しを１に対応させて識別信号の情報を再生することができる。０と１のバイナリデータに変換した後は、通常のデータ再生と同様にして、情報の検出が可能である。例えば、従来例で説明したＰＥＰ領域と同様にトラックフォーマット、セクタフォーマットおよびデータービットの表す意味を予め仕様として決めておけば良い。
【００３１】
また、識別信号で表す１ビット分の周期を例えば、４８Ｔとすれば、Ｔmaxでのマーク／スペースの組（１６Ｔ）の繰返し回数は3回、Ｔminでのマ一ク／スペースの組（６Ｔ）の繰返し回数は８回となる。図８で示したようなＲＦ再生系を用いた検出回路では、このような繰り返し回数で検出が可能である。
【００３２】
再生に使用する半導体レーザの波長を680nmとし、対物レンズの開口をＮＡ0.55とすれば、最短マーク（Ｔmin）として、0.7μmのマークあるいはスペースは十分に再生可能である。この場合、上記のように識別信号のビットを構成すれば、1ビット当たり、11.2μmとなる。これでディスクの内周部（半径23mm）に記録すれば、１トラックに約１３ｋビットの容量が確保できる。これは従来例で示したＰＥＰ領域の容量の２０倍以上である。
【００３３】
つぎに、第２の実施例として、メディアのタイプを認識するための識別信号を付加する場合について説明する。メディアのタイプとして、再生専用型、書換型などがあるが、本実施例では、書換型のメディアにだけ、図１０で示すような織別信号が記録されているものとする。図１０（ｃ）に示すように、Ｔmaxを７回繰り返したパターンを１とする。１と１の間はＴminの繰り返しを連続させる。１が再生される周期で、メディアのタイプを認識する。
【００３４】
第1の実施例と同様にＴmax（８Ｔ）、Ｔmin（３Ｔ）とした場合、図１０（ｂ）に示すように、Ｔminの繰り返し回数を２２４回、２７４回、３２４回とすれば、１の周期はほば５：６：７となる。周期の単位としてTz（メディアタイプビット長）で表せぱ、各周期は5Tz、６Ｔz、７Ｔzとなり、Ｔzは、約１４６Ｔである。図１０（ａ）に示すように、５Ｔz＋６Ｔz＋７Ｔzを一周期Ｔcycとし、ディスクー周で２７２回記録する。これを、ディスクの内周部（半径２３mm）に記録すれば、最短マーク（Ｔmin）は、０．６μmとなる。このマークあるいはスペースも第1の実施例で説明した光学へッドを用いて再生可能である。
【００３５】
次に、以上のように構成した識別信号を再生する再生装置の実施例について説明する。第１の実施例の図８で示した再生回路も使用可能であるが、本実施例では別の方式で説明する。
【００３６】
図１１は本発明の第２の実施例における光ディスクの再生装置の信号処理部の構成を示すブロック図である。図１１において、３３はバンドパスフィルタ回路、３４はエンベロープ検出回路、３５はタイミング発生回路、３６は周期検出回路、３７、３８、３９はレジスタ回路、４１は比較テーブル記録回路、４０は比較回路、４２はシステムの制御を行うマイクロコンピュータである。
【００３７】
図１１において、識別信号領域に光へッドからレーザ光を照射し、その反射光を光検出器（図示省略）で受光し、電気信号に変換した再生信号を端子20に入力する。２１は直流成分を遮断して高周波増幅を行う増幅器である。バンドパスフィルタ回路３３は、Ｔmaxの繰り返し周披数は衰減無く通過し、Ｔminの繰り返し周波数では数分の一程度に減衰させ、識別信号の帯域外の低周波成分や高周披成分を大きく減衰させる特性を持つ。このバンドパスフィルタ回路３３の出力波形fを図１２の（ｆ）に示す。図１２の（ｆ）は、再生信号のエンベローブを示している。Ｔmaxの繰り返し部分の振輻は大きく、Ｔminの繰り返し部分では減衰させた特性に従い振輻は小さくなる。エンベロープ検出回路３４は、再生信号ｆの包絡線を検出する。その検出信号gは、図１２（ｇ）に示すようにＴmaxの部分だけハイレベルとなる。タイミング発生回路３５は、検出信号gの立上がりに同期して周期を計数するためのスタート信号hおよぴレジスタに計数結果を読込むための読込み信号pを発生する。周期検出回路３６は、クロック信号によりスタート信号hの入力する周期を計測する。スタート信号hの入力により、それまでの計数結果がリセットされ新たに計数を開始する。
【００３８】
これを図１２の（ｉ）に示す。スタート信号hの入力から計数を開始し、時間とともに計数値が増加する。次のスタート信号までの周期が長いほど計数値は大きくなる。次のスタート信号によりリセットされる直前の計数値は、読込み信号pによりレジスタ１（３７）に読込まれる。さらに次の読込み信号ｐにより、レジスタ１の内容はレジスタ２（３８）に読込まれ、その次の読込み信号ｐにより、レジスタ２の内容はレジスタ３（３９）に読込まれる。
【００３９】
このように、３つのレジスタには連続する３つの周期の計数結果が記憶される。図１２の例では、識別信号の周期の５Ｔz、６Ｔz，７Ｔzに対応した計数値として、Ｎ１，Ｎ２，Ｎ３となる。前記クロック信号の周期をＴとすれば、Ｎ１＝７２８Ｔ，Ｎ２＝８７８Ｔ，Ｎ３＝１０２８Ｔとなる。各レジスタの値がこれを満足したとき、書換型メディアと識別することができる。
【００４０】
しかし、メディアタイプの識別はできるだけ早くする必要があるため、ディスクの回転速度が定速に達する前に判定できることが望ましい。ディスクの回転数が定速の８０％から識別を行うとすれば、前記の判定条件は次のようになる。
【００４１】
Ｎ１＞５８０Ｔ，Ｎ２＞７００Ｔ，Ｎ３＞８２０Ｔ
この判定条件を代表値テープル４１に予め書き込んでおく。比較回路４０は、レジスタ３，レジスタ２，レジスタ１の値と代表値テーブル４１に設定されている値をその順も含み満足しているかを比較する。これを補足したとき、判定信号mをマイクロコンピユータ４２に出力する。マイクロコンピュータ４２は、判定信号mの検出により、現在装着しているディスクが書換型のメディアであると認識することができる。以降のドライブの動作を書換型ディスクに対応したシステムの制御を行う。
【００４２】
なお本実施例では、メディアタイプの検出のため、計測した周期がある範囲に入っていることで判定したが、これに限るものではなく、例えば、連続する3つの周期が順次増加していることを検出することによりメディアを判定することも可能である。
【００４３】
また、本実施例の識別信号により、ディスクの表裏を判定することも可能である。図１５にディスク上のトラックの模式図を示す、ディスクに信号の記録再生を行うときに光ビームを入射する面を表（おもて）面とする。図１５（A）に表面の場合を示す。ディスクの情報面上には、内周から外周に向かい時計方向に螺旋状のトラックが形成されている。このトラックの第1の領域に図面上のＳ１，Ｓ２，Ｓ３，・・・Ｓ８で示す記録単位がこの順で並んでいる。このディスクを反時計方向に回転させ、光ビームを前記記録単位の部分に照射すれば、その再生順は、Ｓ１→Ｓ２→Ｓ３→・・・→Ｓ８となる。このトラックの第２の領域に本実施例による識別信号を図１０（ａ）に示したように記録すれば、その再生時の順は、５Ｔz→６Ｔz→７Ｔzの順になる。
【００４４】
このディスクを誤挿入によって、表裏を逆に挿入した場合を図１５（B）に示す。裏面からは、内周から外周に向かい反時計方向に螺旋状のトラックが形成されているように見える。同様に、このディスクを反時計方向に回転させ、光ビームを前記記録単位の部分に照射すれば、その再生組順は、Ｓ８→Ｓ７→Ｓ６→・・Ｓ１と反対になる。このトラックの第２の領域に記録した識別信号も、その再生時の順は、７Ｔz→６Ｔz→５Ｔzのように逆の順になる。そのため、図１１に示した再生装置の信号処理部において、代表値テーブル４１に、前記のように逆の頗の場合の値も設定しおき、比較回路４０で検出すれば、表裏を逆にした誤挿入の検出も行うことができる。
【００４５】
次に、本実施例における識別信号を再生する再生装置の制御について説明する。装着されたディスクのメディアタイプを識別信号により識別する場合について説明する。使用する光ディスクとして、（２．７）ＲＬＬ符号でデータをＣＡＶ回転で記録する書換型の光ディスク、（２．７）RLL符号でデータをＣＬＶ回転で記録した再生専用型の光ディスク、EFM符号を用いた従来のＣＤとする。
【００４６】
図９に制御の流れを示すフローチャートを示す。光ディスクが装着されれば、ディスクの回転を開始し、光ヘッドを内周部へ移動させる。識別信号が記録されている半径位置近辺で光ヘッドを止め、再生に用いる弱い出力で光を照射する。次にフォーカス制御を開始する。識別信号は、広い半径範囲に記録しているため、フォーカス制御だけで、再生が可能である。図１１で説明した方法により、識別信号を検出する。まず、検出した識別信号から再生した信号面が正しい表面か判定する。裏面の場合、再生を中止し、ディスクを排出するとともに、表裏を逆に誤挿入したことを表示するエラー処理を行う。
【００４７】
次に、検出した識別信号が書換型メディアを示す識別信号であるか判定する。書換型であった場合、ディスクをＣＡＶ回転させ、光へッドを外側へ移動させ、溝にトラッキング制御をかける。本発明の識別信号は、マークとスペ一スが連続しているため、識別信号領域内であっても、安定にトラッキング制御をかけることができる。識別信号領域の外側にあるコントロールデータ領域に入り、コントロールデータを読み出す。読出したコントロールデータからそのディスクに通した各種パラメータの設定を行う。
【００４８】
また、識別信号の判定部分で、書換型の識別信号が検出されなかった場合、ディスクをＣＬＶ回転させ、光へッドを外側へ移動させ、ピットトラッキング制御をかける。本発明の識別信号は、マ一クとスペースが連続しているため、識別信号領域内であっても、安定にトラッキング制御をかけることができる。識別信号領域の外側にあるコントロールデ‐タ領域に入り、再生した信号の変調規則が（２．７）RLL符号か判定する。（２．７）ＲＬＬ符号なら再生信号を復調し、コントロールデ一タを読み出す。読出したコントロールデ一タからそのディスクに適した各種パラメータの設定を行う。
【００４９】
また、再生信号の変調が（２．７）ＲＬＬ符号でない場合、光ヘッドを外側ヘ移動させ、ピットトラッキング制御をかける。識別信号領域の外側にあるＴＯＣ領域に入り、その情報によりＣＤ／ＣＤ−ＲＯＭ／ＬＤかを判定する。ＴＯＣ情報により判定ができない場合、再生を中止し、ディスクを排出するとともに、識別できないことを表示するエラー処理を行う。
【００５０】
以上のように本実施例によれば、書換型ディスクの情報を識別信号に記録するだけで、各ディスクの種類を判定することができる。
【００５１】
次に、第３の実施例として、識別信号の再生時にドロップアウトが発生する場合の再生装置について説明する。ドロップアウトは、識別信号を記録する領域上に、例えば、記録膜や反射膜に欠陥があり、ピンホールが発生したり、ディスク内に異物が混入した場合に発生する。また、記録膜や反射膜を除去することにより別の情報を記録する場合にも発生する。ドロップアウトが発生した場合、ディスクからの反射光量が低減し、再生信号の振幅が低下する。第２の実施例で説明したような識別信号を用いる場合、Ｔmaxの部分でドロップアウトが発生すると再生信号の振輻が低下し、Ｔmaxの検出ができなくなり、周期の計数を誤ることになる。
【００５２】
また、識別信号の判定を広い範囲を持つ値で行う場合には、予期しない計測値が発生し、誤検出することも発生する。このような場合でも、周期を正しく検出できる再生装置の信号処理部の構成を図１３のブロック図に示す。図１３において、４５はタイミング発生回路、４６は低減増輻器、４７はドロップアウト検出回路である。図１１と同じ番号の回路は同様の動作を行う。
【００５３】
図１３において、識別信号領域に光へッドからレーザ光を照射し、その反射光を光検出器（図示省略）で受光し、電気信号に変換した再生信号を端子２０に入力する。増輻器２１で増輻し、バンドパスフィルタ回路３３で、第２の実施例と回様の周披数特性で再生する。このバンドパスフィルタ回路３３の出力波形fを図１４の（ｆ）に示す。図１４の（ｆ）は、再生信号のエンベロープを示している。ドロツプアウトが発生した部分で再生信号の振輻が低下している。エンベロープ検出回路３４は、再生信号fの包絡線を検出し、検出信号gを出力する。タイミング発生回路４５は、検出信号ｇの立上がりに同期して周期を計数するためのスタート信号hおよびレジスタに計数結果を読込むための読込み信号pを発生する。周期検出回路３６は、クロック信号によりスタート信号hの入力する周期を計測する。スタート信号hの入力により、それまでの計数結果がリセットされ新たに計数を開始する。次のスタート信号によりリセツトされる直前の計数値は、読込み信号pによりレジスタ１（３７）に読込まれる。
【００５４】
さらに次の読込み信号ｐにより、レジスタ１の内容はレジスタ２（３８）に読込まれ、その次の読込み信号ｐにより、レジスタ２の内容はレジスタ３（３９）に読込まれる。このように、３つのレジスタには連続する３つの周期の計数結果が記憶される。
【００５５】
また、低域増輻回路４６は、再生信号の直流成分から数百kHzまでの帯域で増幅を行う。その出力信号ｓは、図１４の（ｓ）に示すようにＴmaxやＴminの繰り返し信号は再生できないが、ドロップアウトによる、ディスクからの反射光量の低下を再生することができる。ドロップアウト検出回路４７は、前記出力信号ｓの振幅の低下時を検出し、ドロップアウト信号rをタイミング発生回路４５へ出力する。タイミング発生回路４５は、ドロップアウト信号rが入力されると、リセット信号qを各レジスタ３７、３８、３９に出力する。各レジスタ３７、３８、３９は、リセット信号rを受けると、それまで読み込んでいた周期の計数値をリセットし、０とする。
【００５６】
図１１と回様に、判定条件を代表値テープル４１に予め書き込んでおく。比較回路４０は、レジスタ３，レジスタ２，レジスタ１の値と代表値テーブル４１に設定されている値をその順も含み満足しているかを比較する。これを浦足したとき、判定信号mをマイクロコンピュータ４２に出力する。マイクロコンピュータ４２は、判定信号mの検出により、現在装着しているディスクが書換型のメディアであると認識することができる。以降のドライプの動作を書換型ディスクに対応したシステムの制御を行う。
【００５７】
本実施例で示したように、ドロップアウトが発生すれば、レジスタの値をリセットし、ドロップアウトが発生しなかった時の計数値のみを用いて識別信号の判定を行うことにより、誤検出を防止することができる。また、識別信号は、ディスクの１周にわたり繰り返し記録されているため、ドロツプアウトが発生しない部分で識別を行うことは容易である。また、識別信号は、ディスクの半径方向に整列させて記録してあるため、少しへッドの位置を移動させ、別の半径位置で識別信号の再生を行うことも容易である。
【００５８】
なお、本発明の各実施例では、記録符号として（２．７）ＲＬＬ符号の場合について説明したが、例えば（１．７）ＲＬＬ符号や８／１６変換符号などのその他の符号を使用することもできる。
【００５９】
また、本発明の各実施例では、識別信号に用いる符号長として、RLL符号の最大反転間隔を持つ符号長と最小反転間隔を持つ符号長を選択したが、その他の符号長の符号を使用することもできる。また、２種類の符号長だけでなく、３種類以上の符号長を持つ符号で構成することもできる。
【００６０】
また、本発明の各実施例では、書換型ディスクで溝を断続する事により識別信号を記録するとして説明したが、これに限定されるものではなく、例えば、再生専用ディスクでピットをマークに対応させても同様に識別信号を記録することができる。
【００６１】
【発明の効果】
以上のように本発明は、光ディスク上で信号を記録するのに用いるマークとスペースと同程度の長さを持つマークとスペースを組み合わせて識別信号を構成して記録することにより、識別信号を記録した領域で形成するマークとスペースに対応した凹凸は、ディスク上の他の領域とほぼ同じ状態となる。そのため、ディスクを成型するときの各種条件を同一にすることができる。
【００６２】
また、大きな鏡面部分が発生することが無く、常に適度な長さのマークとスペスが交互に並ぶように構成することができ、トラッキング制御を行う場合も引き込みが速く、安定した制御を実現することができる。
【図面の簡単な説明】
【図１】本発明の実施例における識別信号の配列を示す模式図
【図２】従来例における識別信号の配列を示す模式図
【図３】従来例におけるPEP領域のマークの配列を示す模式図
【図４】従来例におけるPEP領域のピットセルの形式を示す模式図
【図５】従来例におけるPEP領域のフォーマットの形式を示す模式図
【図６】本発明の実施例における光ディスクのフォーマットを示す模式図
【図７】本発明の実施例における記録符号を示す変換テ一ブルを示す図
【図８】本発明の第1の実施例における光ディスクの再生回路の構成を示すブロック図
【図９】本発明の第２の実施例における制御の流れを示すフローチャート
【図１０】本発明の第２の実施例における光ディスクのフォーマットを示す模式図
【図１１】本発明の第２の実施例における光ディスクの再生回路の構成を示すブロック図
【図１２】本発明の第２の実施例における光ディスクの再生回路の信号を示す波形図
【図１３】本発明の第２の実施例における光ディスクの再生回路の構成を示すブロック図
【図１４】本発明の第２の実施例における光ディスクの再生回路の信号を示す波形図
【図１５】本発明の実施例における光ディスクの表裏を示す模式図
【符号の説明】
１  光ディスク
２  中心穴
３  データを記録する領域
４  リードイン領域
５  リードアウト領域６
【図１】
0004086913.tif 000002
【図２】
0004086913.tif 000003
【図３】
0004086913.tif 000004
【図４】
0004086913.tif 000005
【図５】
0004086913.tif 000006
【図６】
0004086913.tif 000007
【図７】
0004086913.tif 000008
【図８】
0004086913.tif 000009
【図９】
0004086913.tif 000010
【図１０】
0004086913.tif 000011
【図１１】
0004086913.tif 000012
【図１２】
0004086913.tif 000013
【図１３】
0004086913.tif 000014
【図１４】
0004086913.tif 000015
【図１５】
0004086913.tif 000016